(57)【要約】【課題】筐体の開封に対する誤検知を抑制し得る携帯情報端末を提供する。【解決手段】表側ケース１２の内面側にて組付方向に突出するリブ１４と、裏側ケース１３に組み付けられる制御基板２０に対して一端２２ａが固定されて組付状態時におけるリブ１４に対して当接方向から弾性変形した状態で接触して押圧する板ばね部材２２と、組付状態時の板ばね部材２２に対して当接方向から接触しリブ１４との接触が解除されることにより復元した板ばね部材２２に対する非接触状態を検出可能な接触スイッチ２１と、を備えている。そして、制御回路により、接触スイッチ２１により検出される非接触状態に応じて筐体１１の開封が検知される。【選択図】図１
2010211562.tif 000002
【特許請求の範囲】
【請求項１】
取得した取得情報を制御するための制御回路と、
前記取得情報を記憶する記憶手段と、
第１ケースおよび第２ケースを有しこれら両ケースを組み付けた組付状態にて前記制御回路および前記記憶手段を収容する筐体と、
を備える携帯情報端末であって、
前記第１ケースの内面側に設けられて当該第１ケースおよび前記第２ケースの組付方向に突出する突出部材と、
前記第２ケースに対して一端が固定されて、この一端よりも他端側の弾性部材側接触部にて前記組付状態時における前記突出部材の突出部材側接触部に対して前記組付方向と直交する方向から弾性変形した状態で接触して押圧する弾性部材と、
前記組付状態時の前記弾性部材に対して前記組付方向と直交する方向から接触し、前記突出部材との接触が解除されることにより復元した前記弾性部材に対する非接触状態を検出可能な接触センサと、
前記接触センサにより検出される前記非接触状態に応じて前記筐体の開封を検知する開封検知手段と、
を備えることを特徴とする携帯情報端末。
【請求項２】
前記接触センサは、前記組付状態時において、前記弾性部材のうち前記弾性部材側接触部よりも前記一端側にて接触することを特徴とする請求項１に記載の携帯情報端末。
【請求項３】
前記弾性部材には、前記接触センサとの接触部位と前記弾性部材側接触部との間に湾曲部が形成されることを特徴とする請求項２に記載の携帯情報端末。
【請求項４】
前記接触センサは、前記非接触状態時のみ電力供給されて前記弾性部材に対する非接触状態を検出することを特徴とする請求項１〜３のいずれか一項に記載の携帯情報端末。
【請求項５】
前記突出部材は、前記弾性部材に対向する突出部材側対向面が前記突出部材側接触部よりも前記第２ケース側ほど前記突出部材側接触部を含む平面から離間するように形成されることを特徴とする請求項１〜４のいずれか一項に記載の携帯情報端末。
【請求項６】
前記弾性部材は、前記突出部材に対向する弾性部材側対向面が前記弾性部材側接触部よりも前記第１ケース側ほど前記弾性部材側接触部を含む平面から離間するように形成されることを特徴とする請求項１〜５のいずれか一項に記載の携帯情報端末。
【発明の詳細な説明】
【技術分野】
【０００１】
本発明は、筐体の開封検知機能を有する携帯情報端末に関するものである。
【背景技術】
【０００２】
従来、筐体の開封検知機能を有する携帯情報端末に関する技術として、下記特許文献１に示す製品容器開封履歴管理手段が知られている。この製品容器開封履歴管理手段は、第１のケースと第２のケースとを封止のために組み付けるとき、第１のケースの内部にて組付方向に突出するように形成された突起部分がプッシュ型コード出力スイッチを組付方向に押圧することから、このスイッチから出力される信号に応じて製品の開封を検知している。
【０００３】
また、下記特許文献２に示す秘密情報記憶装置では、上部キャビネットおよび下部キャビネットの係合部分近傍であって下部キャビネットに配線基板を介して検出スイッチが固定されており、両キャビネットが組み付けられる状態では検出スイッチのアクチュエータが上部キャビネットにより組付方向に押圧されている。そして、製品が開封されて上部キャビネットおよび下部キャビネットの係合が解除されると、アクチュエータが作動し検出スイッチからの出力に応じて製品の開封を検知している。
【先行技術文献】
【特許文献】
【０００４】
【特許文献１】特開２０００−１４９０７９号公報
【特許文献２】実開昭６１−１６８４３８号公報
【発明の概要】
【発明が解決しようとする課題】
【０００５】
しかしながら、上記特許文献１に示す構成では、スイッチが突起部分により組付方向に押圧されることから、第１ケースおよび第２ケースが組み付けられて構成される筐体において落下等の衝撃により第１ケースと第２ケースとが組付方向にずれてしまうと、突起部分による押圧が解除されてしまい、筐体が開封されていないにもかかわらず、筐体の開封を誤って検知してしまうという問題がある。この誤検知の問題は上記特許文献２に示す構成でも同様に生じる可能性がある。
【０００６】
本発明は、上述した課題を解決するためになされたものであり、その目的とするところは、筐体の開封に対する誤検知を抑制し得る携帯情報端末を提供することにある。
【課題を解決するための手段】
【０００７】
上記目的を達成するため、特許請求の範囲に記載の請求項１の携帯情報端末では、取得した取得情報を制御するための制御回路と、前記取得情報を記憶する記憶手段と、第１ケースおよび第２ケースを有しこれら両ケースを組み付けた組付状態にて前記制御回路および前記記憶手段を収容する筐体と、を備える携帯情報端末であって、前記第１ケースの内面側に設けられて当該第１ケースおよび前記第２ケースの組付方向に突出する突出部材と、前記第２ケースに対して一端が固定されて、この一端よりも他端側の弾性部材側接触部にて前記組付状態時における前記突出部材の突出部材側接触部に対して前記組付方向と直交する方向から弾性変形した状態で接触して押圧する弾性部材と、前記組付状態時の前記弾性部材に対して前記組付方向と直交する方向から接触し、前記突出部材との接触が解除されることにより復元した前記弾性部材に対する非接触状態を検出可能な接触センサと、前記接触センサにより検出される前記非接触状態に応じて前記筐体の開封を検知する開封検知手段と、を備えることを特徴とする。
【０００８】
請求項２の発明は、請求項１に記載の携帯情報端末において、前記接触センサは、前記組付状態時において、前記弾性部材のうち前記弾性部材側接触部よりも前記一端側にて接触することを特徴とする。
【０００９】
請求項３の発明は、請求項２に記載の携帯情報端末において、前記弾性部材には、前記接触センサとの接触部位と前記弾性部材側接触部との間に湾曲部が形成されることを特徴とする。
【００１０】
請求項４の発明は、請求項１〜３のいずれか一項に記載の携帯情報端末において、前記接触センサは、前記非接触状態時のみ電力供給されて前記弾性部材に対する非接触状態を検出することを特徴とする。
【００１１】
請求項５の発明は、請求項１〜４のいずれか一項に記載の携帯情報端末において、前記突出部材は、前記弾性部材に対向する突出部材側対向面が前記突出部材側接触部よりも前記第２ケース側ほど前記突出部材側接触部を含む平面から離間するように形成される。
【００１２】
請求項６の発明は、請求項１〜５のいずれか一項に記載の携帯情報端末において、前記弾性部材は、前記突出部材に対向する弾性部材側対向面が前記弾性部材側接触部よりも前記第１ケース側ほど前記弾性部材側接触部を含む平面から離間するように形成される。
【発明の効果】
【００１３】
請求項１の発明では、第１ケースの内面側にて組付方向に突出する突出部材と、第２ケースに対して一端が固定されて組付状態時における突出部材に対して組付方向と直交する方向から弾性変形した状態で接触して押圧する弾性部材と、組付状態時の弾性部材に対して組付方向と直交する方向から接触し突出部材との接触が解除されることにより復元した弾性部材に対する非接触状態を検出可能な接触センサと、を備えている。そして、開封検知手段により、接触センサにより検出される非接触状態に応じて筐体の開封が検知される。
【００１４】
これにより、組付状態では、接触センサは弾性部材に接触しており筐体が振動等する場合でもその振動等が弾性部材に吸収されるので、筐体の振動等に起因して接触センサが弾性部材に対して非接触状態にならず当該接触センサによるを誤検出を防止することができる。このように正確に筐体の開封を検知できるので、記憶手段に記憶された取得情報を消去等することにより、取得情報の不正使用を確実に防止することができる。
【００１５】
特に、組付状態時では弾性変形した弾性部材が組付方向と直交する方向にて突出部材に接触するので、落下による衝撃等が筐体に作用して第１ケースおよび第２ケースが組付方向にずれることで突出部材と弾性部材とが組付方向にずれても、当該突出部材との接触による弾性部材の弾性変形状態が維持される。このように組付状態時では弾性部材の弾性変形状態が維持されるので、この弾性部材に対して組付方向と直交する方向から接触センサを接触させてその接触状態を検出することで、上述のように第１ケースおよび第２ケースが組付方向にずれる場合でも弾性部材に対する接触センサの接触状態が維持されるので、落下による衝撃等に起因する接触センサの誤検出を抑制することができる。
したがって、筐体の開封に対する誤検知を抑制することができる。
【００１６】
請求項２の発明では、接触センサは、組付状態時において、弾性部材のうち弾性部材側接触部よりも一端側にて接触するため、接触センサが弾性部材側接触部よりも他端側にて接触する場合と比較して、接触センサと接触する弾性部材の接触部位が振動しにくくなり突出部材を介した接触センサへの振動等の伝達が抑制されるので、接触センサの誤検出を確実に抑制することができる。
【００１７】
請求項３の発明では、弾性部材には、接触センサとの接触部位と弾性部材側接触部との間に湾曲部が形成されるため、この湾曲部にて突出部材を介した振動等が抑制されるので、接触センサの誤検出を確実に抑制することができる。
【００１８】
請求項４の発明では、接触センサは、非接触状態時のみ電力供給されて弾性部材に対する非接触状態を検出するため、接触状態時すなわち組付状態時には電力供給がなされないので、接触状態時のみに電力供給する場合と比較して、省電力化を図ることができる。
【００１９】
請求項５の発明では、突出部材は、弾性部材に対向する突出部材側対向面が突出部材側接触部よりも第２ケース側ほど突出部材側接触部を含む平面から離間するように形成されるため、両ケースを組み付ける場合には、突出部材が突出部材側対向面にて弾性部材を押圧することにより当該突出部材側対向面が案内面の役割を果たし弾性部材が接触センサに近接する方向に徐々に弾性変形していく。これにより、突出部材側対向面の突出部材側接触部よりも第２ケース側が突出部材側接触部を含む平面に沿うように形成される場合と比較して、弾性部材がスムーズに弾性変形し両部材間の摩擦も抑制されることから、両ケースを組み付ける作業をさらに容易にすることができる。
【００２０】
請求項６の発明では、弾性部材は、突出部材に対向する弾性部材側対向面が弾性部材側接触部よりも第１ケース側ほど弾性部材側接触部を含む平面から離間するように形成されるため、両ケースを組み付ける場合には、突出部材が弾性部材側対向面を押圧することにより当該弾性部材側対向面が案内面の役割を果たし弾性部材が接触センサに近接する方向に徐々に弾性変形していく。これにより、弾性部材側対向面の弾性部材側接触部よりも第１ケース側が弾性部材側接触部を含む平面に沿うように形成される場合と比較して、弾性部材がスムーズに弾性変形し両部材間の摩擦も抑制されることから、両ケースを組み付ける作業をさらに容易にすることができる。
【図面の簡単な説明】
【００２１】
【図１】本実施形態に係る携帯情報端末１０を示す一部断面図である。
【図２】図１の２−２線相当の切断面による一部断面図である。
【図３】図３（Ａ）は、組み付け前のリブ１４と板ばね部材２２との位置関係を示す一部断面図であり、図３（Ｂ）は、組み付け後のリブ１４と板ばね部材２２との位置関係を示す一部断面図である。
【図４】図４（Ａ）は、図３（Ａ）の４Ａ−４Ａ線相当の切断面による一部断面図であり、図４（Ｂ）は、図３（Ｂ）の４Ｂ−４Ｂ線相当の切断面による一部断面図である。
【図５】本実施形態に係る携帯情報端末１０の変形例を示す一部断面図である。
【発明を実施するための形態】
【００２２】
以下、本発明の携帯情報端末を具現化した一実施形態について図を参照して説明する。携帯情報端末１０は、例えばＩＣカード等を読み取る決済端末、或いはバーコードリーダ、二次元コードリーダ等の光学的情報読取装置などとして構成されるものである。なお、以下では本発明を決済端末に適用した場合を例に挙げて説明するが、光学的情報読取装置等の他種の携帯情報端末でも同様に構成できる。
【００２３】
図１に示すように、携帯情報端末１０は、表側ケース１２および裏側ケース１３からなる筐体１１内に制御基板２０等の各種電気部品や図略の電源等が収容されるように構成されている。この筐体１１内の電気的構成は、公知のカードリーダとほぼ同様の構成とすることができる。なお、筐体１１、表側ケース１２および裏側ケース１３は、特許請求の範囲に記載の「筐体」、「第１ケース」および「第２ケース」の一例に相当する。
【００２４】
表側ケース１２の内面側には、平板状のリブ１４が表側ケース１２と裏側ケース１３とを組み付ける方向（以下、組付方向という）に突出するように形成されている。このリブ１４は、図１にて左右方向（以下、当接方向という）の一側が符号１４ａにて示す部位（以下、リブ側接触部１４ａという）よりも先端側（裏側ケース１３側）の面ほどリブ側接触部１４ａを含む平面から離間するように形成されている。なお、図中、右側を一側、左側を他側ともいう。なお、リブ１４およびリブ側接触部１４ａは、特許請求の範囲に記載の「突出部材」および「突出部材側接触部」の一例に相当する。
【００２５】
具体的には、リブ１４は、当接方向の幅が、リブ側接触部１４ａよりも先端側ほど徐々に狭くなり、先端部位では根元部位の半分程度になるように形成されている。ここで、リブ１４のうち、徐々に狭くなる部位の当接方向の一側を傾斜部１４ｂと定義し、先端部位の当接方向の一側を先端部１４ｃと定義する。そして、リブ１４は、当接方向の一側が先端側から先端部１４ｃ、傾斜部１４ｂ、リブ側接触部１４ａとして形成され、リブ側接触部１４ａと傾斜部１４ｂとの連結面、傾斜部１４ｂと先端部１４ｃとの連結面、先端部１４ｃと先端側端部との連結面が、それぞれ曲面的に連結するように形成されている（図１参照）。
【００２６】
制御基板２０は、裏側ケース１３の内面側に固定されており、この制御基板２０に実装される図略の制御回路は、ＩＣカード等から取得した決済関連のデータを所定のプログラムを実行することにより処理して、図略のメモリ等に記憶する。なお、制御基板２０の制御回路およびメモリは、特許請求の範囲に記載の「制御回路」および「記憶手段」の一例に相当する。
【００２７】
制御基板２０には、筐体１１の開封に応じて信号を上記制御回路に出力する接触スイッチ２１が実装されるとともに、板ばね部材２２がその一端２２ａにて固定されている。なお、制御回路は、接触スイッチ２１からの信号に応じて開封検知手段として機能する。
【００２８】
板ばね部材２２は、表側ケース１２と裏側ケース１３とを組み付けた組付状態において、弾性変形した状態でばね側接触部２２ｂにてリブ１４のリブ側接触部１４ａに対して当接方向一側から押圧するように形成されている。そして、板ばね部材２２は、筐体１１が開放されてリブ１４との接触が解除されると、当接方向に変形して復元する。この復元状態では、ばね側接触部２２ｂが、組付時のリブ１４の先端部１４ｃに接触するように位置する。なお、板ばね部材２２およびばね側接触部２２ｂは、特許請求の範囲に記載の「弾性部材」および「弾性部材側接触部」の一例に相当する。
【００２９】
また、板ばね部材２２のばね側接触部２２ｂの上端側（表側ケース１２側）にはガイド部２２ｃが設けられている。このガイド部２２ｃは、上面（リブ１４に対向する対向面）がばね側接触部２２ｂよりも上側ほどばね側接触部２２ｂを含む平面から離間するように傾斜して形成されている。
【００３０】
接触スイッチ２１は、リブ１４を押圧して弾性変形した板ばね部材２２のうちばね側接触部２２ｂよりも一端２２ａ側にて当接方向一側から接触する（図２参照）。そして、接触スイッチ２１は、復元状態の板ばね部材２２に対する非接触状態を検出するように配置されている。この接触スイッチ２１は、非接触状態時のみ電力供給されて非接触状態を検出してこの非接触状態に応じた信号を制御回路に出力するように構成されており、接触スイッチ２１の例としては、押すとオフ状態になるノーマルクローズタイプのものが挙げられる。なお、接触スイッチ２１は、リブ１４を押圧して弾性変形した板ばね部材２２のうちばね側接触部２２ｂよりも他端側にて当接方向一側から接触してもよい。
【００３１】
次に、このように構成される携帯情報端末１０において、表側ケース１２と裏側ケース１３との組付工程について図３および図４を用いて説明する。
まず、接触スイッチ２１や板ばね部材２２等を取り付けた制御基板２０を用意し、この制御基板２０を裏側ケース１３に固定する。そして、この裏側ケース１３と表側ケース１２とを組み付けるために表側ケース１２を裏側ケース１３に対して組付方向から近づける。このとき、図３（Ａ）および図４（Ａ）に示すように、板ばね部材２２がそのガイド部２２ｃにてリブ１４に接触して組付方向一側へ案内されるように弾性変形することで、板ばね部材２２のばね側接触部２２ｂが対向するリブ１４の先端部１４ｃに接触する。このとき、接触スイッチ２１は、板ばね部材２２との接触状態を検出していない。
【００３２】
さらに表側ケース１２と裏側ケース１３とを組付方向に近づけると、板ばね部材２２がそのガイド部２２ｃにて対向するリブ１４の傾斜部１４ｂに接触してさらに組付方向一側へ案内されるように弾性変形する。そして、表側ケース１２および裏側ケース１３の組み付けが完了すると、図３（Ｂ）および図４（Ｂ）に示すように、板ばね部材２２のばね側接触部２２ｂが対向するリブ１４のリブ側接触部１４ａに接触する。このとき、接触スイッチ２１は、板ばね部材２２に組付方向一側から接触してその接触状態を検出することとなる。
【００３３】
このように、表側ケース１２および裏側ケース１３の組付時には、板ばね部材２２が、そのガイド部２２ｃとリブ１４の先端部１４ｃおよび傾斜部１４ｂとに案内されて、ばね側接触部２２ｂにてリブ側接触部１４ａに接触するので、板ばね部材２２がスムーズに組付方向に弾性変形し、板ばね部材２２およびリブ１４間の摩擦を抑制することができる。
【００３４】
上述のように表側ケース１２および裏側ケース１３が組み付けられた携帯情報端末１０では、筐体１１が開封されてリブ１４による板ばね部材２２への押圧が解除されると、板ばね部材２２が組付方向他側へ変形する。このため、接触スイッチ２１により復元状態の板ばね部材２２に対する非接触状態に応じた信号が出力され、この信号に基づいて制御基板２０の制御回路より筐体１１の開封が検出される。
【００３５】
一方、組付状態の携帯情報端末１０では、筐体１１が振動等する場合でもその振動等が板ばね部材２２に吸収されるので、筐体１１の振動等に起因して接触スイッチ２１が板ばね部材２２に対する非接触状態を誤検出することを防止することができる。
【００３６】
さらに、組付状態時では弾性変形した板ばね部材２２が当接方向にてリブ１４に接触するので、落下による衝撃等が筐体１１に作用して表側ケース１２および裏側ケース１３が組付方向にずれることでリブ１４と板ばね部材２２とが組付方向にずれても、当該リブ１４との接触による板ばね部材２２の弾性変形状態が維持される。これにより、板ばね部材２２に対する接触スイッチ２１の接触状態が維持されるので、落下による衝撃等に起因する接触スイッチ２１の誤検出を抑制することができる。
【００３７】
以上説明したように、本実施形態に係る携帯情報端末１０では、表側ケース１２の内面側にて組付方向に突出するリブ１４と、裏側ケース１３に組み付けられる制御基板２０に対して一端２２ａが固定されて組付状態時におけるリブ１４に対して当接方向から弾性変形した状態で接触して押圧する板ばね部材２２と、組付状態時の板ばね部材２２に対して当接方向から接触しリブ１４との接触が解除されることにより復元した板ばね部材２２に対する非接触状態を検出可能な接触スイッチ２１と、を備えている。そして、制御回路により、接触スイッチ２１により検出される非接触状態に応じて筐体１１の開封が検知される。
【００３８】
これにより、組付状態では、接触スイッチ２１は板ばね部材２２に接触しており筐体１１が振動等する場合でもその振動等が板ばね部材２２に吸収されるので、筐体１１の振動等に起因して接触スイッチ２１が板ばね部材２２に対して非接触状態にならず当該接触スイッチ２１によるを誤検出を防止することができる。このように正確に筐体１１の開封を検知できるので、メモリ等に記憶された決済関連のデータなどの取得情報を消去等することにより、取得情報の不正使用を確実に防止することができる。
【００３９】
特に、組付状態時では弾性変形した板ばね部材２２が当接方向にてリブ１４に接触するので、落下による衝撃等によりリブ１４と板ばね部材２２とが組付方向にずれても、当該リブ１４との接触による板ばね部材２２の弾性変形状態が維持される。このように組付状態時では板ばね部材２２の弾性変形状態が維持されるので、この板ばね部材２２に対して当接方向から接触スイッチ２１を接触させてその接触状態を検出することで、上述のように表側ケース１２および裏側ケース１３が組付方向にずれる場合でも板ばね部材２２に対する接触スイッチ２１の接触状態が維持されるので、落下による衝撃等に起因する接触スイッチ２１の誤検出を抑制することができる。
したがって、筐体１１の開封に対する誤検知を抑制することができる。
【００４０】
また、本実施形態に係る携帯情報端末１０では、接触スイッチ２１は、組付状態時において、板ばね部材２２のうちばね側接触部２２ｂよりも一端２２ａ側にて接触するため、接触スイッチ２１がばね側接触部２２ｂよりも他端側にて接触する場合と比較して、接触スイッチ２１と接触する板ばね部材２２の接触部位が振動しにくくなりリブ１４を介した接触スイッチ２１への振動等の伝達が抑制されるので、接触スイッチ２１の誤検出を確実に抑制することができる。
【００４１】
さらに、本実施形態に係る携帯情報端末１０では、接触スイッチ２１は、非接触状態時のみ電力供給されて板ばね部材２２に対する非接触状態を検出するため、接触状態時すなわち組付状態時には電力供給がなされないので、接触状態時のみに電力供給する場合と比較して、省電力化を図ることができる。
【００４２】
また、本実施形態に係る携帯情報端末１０では、リブ１４は、板ばね部材２２に対向する対向面が当該リブ側接触部１４ａよりも裏側ケース１３側の部位（傾斜部１４ｂおよび先端部１４ｃ）ほどリブ側接触部１４ａを含む平面から離間するように形成されるため、両ケース１２，１３を組み付ける場合には、リブ１４が傾斜部１４ｂおよび先端部１４ｃにて板ばね部材２２を押圧することによりこれら傾斜部１４ｂおよび先端部１４ｃの対向面が案内面の役割を果たし板ばね部材２２が接触スイッチ２１に近接する方向に徐々に弾性変形していく。これにより、板ばね部材２２がスムーズに弾性変形し当該板ばね部材２２およびリブ１４間の摩擦も抑制されることから、両ケース１２，１３を組み付ける作業をさらに容易にすることができる。
【００４３】
さらに、本実施形態に係る携帯情報端末１０では、板ばね部材２２は、そのガイド部２２ｃがばね側接触部２２ｂよりも上側（表側ケース１２側）ほどばね側接触部２２ｂを含む平面から離間するように傾斜して形成されるため、両ケース１２，１３を組み付ける場合には、リブ１４がガイド部２２ｃを押圧することにより当該ガイド部２２ｃが案内面の役割を果たし板ばね部材２２が接触スイッチ２１に近接する方向に徐々に弾性変形していく。これにより、板ばね部材２２がスムーズに弾性変形し当該板ばね部材２２およびリブ１４間の摩擦も抑制されることから、両ケース１２，１３を組み付ける作業をさらに容易にすることができる。
【００４４】
なお、本発明は上記実施形態に限定されるものではなく、以下のように具体化してもよく、その場合でも、上記実施形態と同等の作用・効果が得られる。
（１）図５に示すように、本実施形態に係る携帯情報端末１０の変形例として、板ばね部材２２には、接触スイッチ２１との接触部位と、ばね側接触部２２ｂとの間に、湾曲部２２ｄが形成されてもよい。これにより、この湾曲部２２ｄにてリブ１４を介した振動等が抑制されるので、接触スイッチ２１の誤検出を確実に抑制することができる。
【００４５】
（２）リブ１４は、傾斜部１４ｂおよび先端部１４ｃが形成されることなく、例えば、当接方向の幅が先端部位と根元部位とで等しくなるように平板状に形成されてもよい。この場合、リブ１４との接触において板ばね部材２２がスムーズに弾性変形しないものの、リブ１４の形状が単純になり当該リブ１４を成形しやすくなる。
【符号の説明】
【００４６】
１０…携帯情報端末
１１…筐体
１２…表側ケース（第１ケース）
１３…裏側ケース（第２ケース）
１４…リブ（突出部材）
１４ａ…リブ側接触部（突出部材側接触部）
１４ｂ…傾斜部
１４ｃ…先端部
２０…制御基板（制御回路，記憶手段，開封検知手段）
２１…接触スイッチ（接触センサ）
２２…板ばね部材（弾性部材）
２２ａ…一端
２２ｂ…ばね側接触部（弾性部材側接触部）
２２ｃ…ガイド部
２２ｄ…湾曲部
【図１】
2010211562.tif 000003
【図２】
2010211562.tif 000004
【図３】
2010211562.tif 000005
【図４】
2010211562.tif 000006
【図５】
2010211562.tif 000007